(57)【要約】【課題】  ユーザが報知エリアに留まる、報知エリアを行き来する、複数の起動信号報知器が集中して設置されているといった場合で、起動信号検出器が繰り返し起動信号を受信する状況において、不必要な情報端末および無線端末の起動を抑え、電池寿命の延伸化を図ることが可能となる情報配信システムを提供する。【解決手段】  通信ネットワークに接続される情報配信サーバおよび無線基地局と、前記無線基地局から報知される情報を受信する無線端末と、前記無線端末に接続される情報端末と、起動信号を報知する起動信号報知器と、前記情報端末に接続され前記起動信号を検出する起動信号検出器により構成される情報配信システムにおいて、前記起動信号検出器は、前記起動信号を検出した時に前記情報端末に検出信号を送出する手段１と、前記検出信号を送出後一定時間、前記起動信号の検出を停止する手段２とを具備する。【選択図】        図３
2006086556.tif 000002
【特許請求の範囲】
【請求項１】
通信ネットワークと、
前記通信ネットワークに接続される情報配信サーバおよび無線基地局と、
前記無線基地局から報知される情報を受信する無線端末と、
前記無線端末に接続される情報端末と、
起動信号を報知する起動信号報知器と、
前記情報端末に接続され前記起動信号を検出する起動信号検出器により構成される情報配信システムにおいて、
前記起動信号検出器は、前記起動信号を検出した時に前記情報端末に検出信号を送出する手段１と、
前記検出信号を送出後一定時間、前記起動信号の検出を停止する手段２とを具備し、
前記情報端末は、前記起動信号検出器からの検出信号に基づき、自情報端末および前記無線端末を非動作状態から動作状態にする手段１と、
前記情報配信サーバの情報を前記無線端末を介して取得する手段２と、
前記受信した前記情報を保持する手段３と、
前記情報の受信完了時に、自情報端末および前記無線端末を動作状態から非動作状態にする手段４とを具備することを特徴とする情報配信システム。
【請求項２】
前記起動信号報知器から報知される起動信号は起動信号識別子を含み、
前記起動信号検出器は、過去に検出した少なくとも一つの前記起動信号識別子を登録した起動信号識別子受信リストを保持し、
前記手段１で検出した前記起動信号識別子と、前記起動信号識別子受信リスト内に保持されている起動信号識別子とを照合し、その結果合致した場合に、前記検出信号を前記情報端末へ送信しない手段３を具備することを特徴とする請求項１に記載の情報配信システム。
【請求項３】
前記起動信号検出器は、前記過去に検出した少なくとも一つの前記起動信号識別子とともに、前記起動信号識別子を検出した時刻を前記起動信号識別子リスト内に保持し、
一定時間経過した前記起動信号識別子および前記時刻を前記起動信号識別子リストから削除する手段４を具備することを特徴とする請求項２に記載の情報配信システム。
【請求項４】
通信ネットワークと、
前記通信ネットワークに接続される情報配信サーバおよび無線基地局と、
前記無線基地局から報知される情報を受信する無線端末と、
前記無線端末に接続される情報端末と、
起動信号を報知する起動信号報知器と、
前記情報端末に接続され前記起動信号を検出する起動信号検出器により構成される情報配信システムにおける起動信号検出器であって、
前記起動信号を検出した時に前記情報端末に検出信号を送出する手段１と、
前記検出信号を送出後一定時間、前記起動信号の検出を停止する手段２とを具備することを特徴とする起動信号検出器。
【請求項５】
前記起動信号報知器から報知される起動信号は起動信号識別子を含み、
過去に検出した少なくとも一つの前記起動信号識別子を登録した起動信号識別子受信リストを保持し、
前記手段１で受信した前記起動信号識別子と、前記起動信号識別子受信リスト内に保持されている起動信号識別子とを照合し、その結果、合致した場合に、前記検出信号を前記情報端末へ送信しない手段３を具備することを特徴とする請求項４に記載の起動信号検出器。
【請求項６】
前記過去に検出した少なくとも一つの前記起動信号識別子とともに、前記起動信号識別子を検出した時刻を前記起動信号識別子リスト内に保持し、
一定時間経過した前記起動信号識別子を前記起動信号識別子リストから削除する手段４を具備することを特徴とする請求項５に記載の起動信号検出器。
【発明の詳細な説明】
【技術分野】
【０００１】
本発明は、情報配信システムおよび起動信号検出器に係り、特に、無線基地局から報知されている情報を無線端末が接続された情報端末により取得する情報配信システムと、その情報端末に搭載される起動信号検出器に関する。
【背景技術】
【０００２】
無線ＬＡＮシステムを利用した公衆無線ＬＡＮサービスは、外出先における情報取得を目的としている。このサービスを受けるためには、パソコンやＰＤＡ（Personal Digital Assistant）などの情報端末と、無線ＬＡＮカードなどの無線端末が必要である。
無線ＬＡＮの電波が到達する距離は、周波数帯や電波の強度により制限されているために、公衆無線ＬＡＮサービスが利用可能なサービスエリアは、駅や喫茶店といった限られた場所となっている。
無線端末が接続された情報端末を携帯しているユーザが、公衆無線ＬＡＮサービスを利用して情報を取得しようとする場合、ユーザは最初に通信可能エリアに移動しなければならない。さらに、ユーザは、情報端末と無線端末を利用していないときは電池の節約のために電源を切っているので、通信可能エリアに移動してから電源を投入しなければならない。
そのため、ユーザは、これらの起動のために一定時間待った後、情報端末を操作して無線端末を介して情報を取得し、情報取得後は電池の節約のために再び電源を切ることになる。このような操作は煩雑であり、加えて通信可能エリアに留まることもユーザにとっては煩わしく、サービスの有効性を制限する要因となっている。
これを解決する手段として、下記非特許文献１に記載の技術が提案されている。
【０００３】
下記非特許文献１に記載の技術は、通信可能エリアに起動信号報知器を設置し、起動信号報知器から報知される起動信号を利用して、ユーザが情報端末および無線端末に対して複雑な操作をすることなく自動的に必要な情報を取得するものである。さらに、受信動作以外の時は、情報端末および無線端末の電源を切ることで消費電力を抑えるものである。
ここで、ユーザが起動信号報知器付近に留まったり、歩き回るなどして、繰り返し起動信号を受信する場合を考える。
情報端末および無線端末は必要な情報の取得が完了すると、電力消費を抑えるために電源を切る。しかし、繰り返し起動信号を受信すると、情報の受信が完了しているにも関わらず、情報端末および無線端末を不必要に動作状態にすることになる。
このような余計な電力を消費してしまう問題について、従来技術では解決するまでには至っていなかった。
【０００４】
なお、本願発明に関連する先行技術文献としては以下のものがある。
【非特許文献１】電子情報通信学会  2004年総合大会（2004年3月） B-5-138        「ＲＦＩＤを用いた情報取得システムの検討−概要とハードウェア−」
【発明の開示】
【発明が解決しようとする課題】
【０００５】
前述したように、従来技術では、ユーザが起動信号報知器の報知エリアに留まったり、付近を行き来することで、繰り返し報知信号を受信してしまい、その度に情報端末および無線端末を起動してしまう問題があった。
起動した情報端末は情報取得が未完了であれば情報取得を続けるが、情報取得が完了している場合には、余計な起動になってしまい、不必要な電力消費が発生してしまうことになる。
本発明は、前記従来技術の問題点を解決するためになされたものであり、本発明の目的は、自動的に必要な情報を取得するシステムにおいて、ユーザが報知エリアに留まる、報知エリアを行き来する、複数の起動信号報知器が集中して設置されているといった場合で、起動信号検出器が繰り返し起動信号を受信する状況において、不必要な情報端末および無線端末の起動を抑え、電池寿命の延伸化を図ることが可能となる情報配信システムおよび起動信号検出器を提供することにある。
本発明の前記ならびにその他の目的と新規な特徴は、本明細書の記述及び添付図面によって明らかにする。
【課題を解決するための手段】
【０００６】
本発明によれば、前述の課題は、前記特許請求の範囲に記述した手段によって解決される。
即ち、請求項１の発明は、通信ネットワークと、前記通信ネットワークに接続される情報配信サーバおよび無線基地局と、前記無線基地局から報知される情報を受信する無線端末と、前記無線端末に接続される情報端末と、起動信号を報知する起動信号報知器と、前記情報端末に接続され前記起動信号を検出する起動信号検出器により構成される情報配信システムにおいて、前記起動信号検出器は、前記起動信号を検出した時に前記情報端末に検出信号を送出する手段１と、前記検出信号を送出後一定時間、前記起動信号の検出を停止する手段２とを具備し、前記情報端末は、前記起動信号検出器からの検出信号に基づき、自情報端末および前記無線端末を非動作状態から動作状態にする手段１と、前記情報配信サーバの情報を前記無線端末を介して取得する手段２と、前記受信した前記情報を保持する手段３と、前記情報の受信完了時に、自情報端末および前記無線端末を動作状態から非動作状態にする手段４とを具備することを特徴とする。
【０００７】
請求項２の発明は、請求項１記載の情報配信システムにおいて、前記起動信号報知器から報知される起動信号は起動信号識別子を含み、前記起動信号検出器は、過去に検出した少なくとも一つの前記起動信号識別子を登録した起動信号識別子受信リストを保持し、前記手段１で検出した前記起動信号識別子と、前記起動信号識別子受信リスト内に保持されている起動信号識別子とを照合し、その結果合致した場合に、前記検出信号を前記情報端末へ送信しない手段３を具備することを特徴とする。
請求項３の発明は、請求項２記載の情報配信システムにおいて、前記起動信号検出器は、前記過去に検出した少なくとも一つの前記起動信号識別子とともに、前記起動信号識別子を検出した時刻を前記起動信号識別子リスト内に保持し、一定時間経過した前記起動信号識別子および前記時刻を前記起動信号識別子リストから削除する手段４を具備することを特徴とする。
【０００８】
請求項４の発明は、通信ネットワークと、前記通信ネットワークに接続される情報配信サーバおよび無線基地局と、前記無線基地局から報知される情報を受信する無線端末と、前記無線端末に接続される情報端末と、起動信号を報知する起動信号報知器と、前記情報端末に接続され前記起動信号を検出する起動信号検出器により構成される情報配信システムにおける起動信号検出器であって、前記起動信号を検出した時に前記情報端末に検出信号を送出する手段１と、前記検出信号を送出後一定時間、前記起動信号の検出を停止する手段２とを具備することを特徴とする。
請求項５の発明は、請求項４に記載の起動信号検出器であって、前記起動信号報知器から報知される起動信号は起動信号識別子を含み、過去に検出した少なくとも一つの前記起動信号識別子を登録した起動信号識別子受信リストを保持し、前記手段１で受信した前記起動信号識別子と、前記起動信号識別子受信リスト内に保持されている起動信号識別子とを照合し、その結果、合致した場合に、前記検出信号を前記情報端末へ送信しない手段３を具備することを特徴とする。
請求項６の発明は、請求項５に記載の起動信号検出器であって、前記過去に検出した少なくとも一つの前記起動信号識別子とともに、前記起動信号識別子を検出した時刻を前記起動信号識別子リスト内に保持し、一定時間経過した前記起動信号識別子を前記起動信号識別子リストから削除する手段４を具備することを特徴とする。
【発明の効果】
【０００９】
本願において開示される発明のうち代表的なものによって得られる効果を簡単に説明すれば、下記の通りである。
本発明によれば、離散的に設置されている無線基地局から配信されている情報を、ユーザが複雑な操作をすることなく自動的に必要な情報を取得するシステムにおいて、不必要な情報端末および無線端末の起動を抑えることで、消費電力を抑えることが可能となる。
【発明を実施するための最良の形態】
【００１０】
以下、図面を参照して本発明の実施例を詳細に説明する。
なお、実施例を説明するための全図において、同一機能を有するものは同一符号を付け、その繰り返しの説明は省略する。
［実施例１］
本実施例は、離散的に基地局が配置されている公衆無線ＬＡＮサービスで、ユーザが複雑な操作をせずに、必要な情報を自動的に取得できるサービスにおいて、ユーザが情報を取得可能なエリアに留まるなどの理由で、不必要な端末起動を繰り返すことによる電力消費を抑えるものである。
図１は、本発明の実施例１の情報配信システムの全体概略構成を示すブロック図である。
図１に示すように、ユーザは、無線端末２と起動信号検出器３が接続された情報端末１を携帯している。
情報端末１および無線端末２は電池により駆動しており、常に電源を入れておくと電力消費が大きく、使用できる時間が短くなってしまうので、使用しないときは電源を切った状態で携帯する。
また、起動信号検出器３は、微弱な電力で動作することができ、間欠的に起動信号の受信走査を行うことができる。
情報配信サーバ６と無線基地局４は、通信ネットワーク７に接続されている。
【００１１】
情報配信サーバ６には、ニュース、タウン情報および受信メールといった様々な情報が蓄積されており、ユーザはこれらの情報を情報端末１に取り込んで利用する。
これらの情報は、通信ネットワーク７を介して無線基地局４へ配信され、無線基地局４から通信可能エリア１２内のユーザヘ配信される。
通信可能エリア４には複数の情報１０（以下、情報群と呼ぶ）が配信され、それらの情報を列挙した情報配信リスト９も合わせて配信することもできる。
情報配信リスト９が配信される場合は、ユーザが情報配信サーバ６内の情報を直接指定して情報を取得するのではなく、情報配信リスト９内の情報を選択して取得する形になる。
起動信号報知器５から報知エリア１１に常時報知されている起動信号８を情報端末１に接続された起動信号検出器３が受信したときに、情報端末１と無線端末２の電源が入り、これらの情報を取得する。
起動信号８は、通信可能エリア１２を情報端末１および無線端末２が感知するための信号であり、起動信号報知器５は通信可能エリア１２の近辺に設置される。
【００１２】
図２は、本実施例の情報配信システムの動作を説明するためのシーケンス図である。
以下、図２を用いて、本実施例において、ユーザが通信可能エリア１２へ移動したときに、情報端末１および無線端末２の電源が入り、情報の受信完了後電源が切れるまでの動作手順を説明する。
起動信号報知器５から報知されている起動信号８を、起動信号検出器３が受信すると（ステップＳ１）、起動信号検出器３は情報端末１に対して検出信号を送信し（ステップＳ２）、情報端末１の電源が入る（ステップＳ３）。
そして、電源が入った情報端末１は無線端末２に対して検出信号を送信し（ステップＳ４）、無線端末２の電源が入る（ステップＳ５）。
起動後、情報端末１と無線端末２が情報を取得できる状態になると、情報端末１は無線端末２を介して、無線基地局４から報知されている情報配信リスト９を受信する（ステップＳ６）。
情報端末１は、この情報配信リスト９によりどのような情報が無線基地局４から報知されているかが認識できる。
情報端末１は無線端末２を介して、これらの情報を順次受信する（ステップＳ７，ステップＳ８，ステップＳ９）。受信した情報は情報端末１に蓄積される。
そして、情報配信リスト９に記載されたすべての情報が完了したときに（ステップＳ１０）、情報端末１は無線端末２に対して電源切断通知を送り（ステップＳ１１）、無線端末２の電源が切れ（ステップＳ１２）、最後に自情報端末１の電源が切れる（ステップＳ１３）。
なお、情報配信リスト９を無線基地局４から受信する代わりに、予め受信すべき情報を情報端末１に登録しておき、情報配信サーバ６に対して、情報の取得要求を送信することで、情報配信サーバ６内の情報を直接引き出すこともできる。
【００１３】
このようなシステムにおいて、ユーザが報知エリア１１に留まる場合を考える。
報知エリア１１には、起動信号８が常時報知されているので、起動信号検出器３は繰り返し起動信号８を検出することになるが、起動信号検出器３は情報端末１へ検出信号を送出後、一定時間は起動信号８を検出しない。
図３は、図２に示す起動信号検出器３の動作を説明するためのシーケンス図である。
以下、図３を用いて、本実施例において、起動信号検出器３が、情報端末１へ検出信号を送出後、一定時間は起動信号８を検出しない動作手順を説明する。
起動信号報知器５は、起動信号８の報知を繰り返している（ステップＳ２１，ステップＳ２３，ステップＳ２４，ステップＳ２５）。
起動信号検出器３は起動信号８を受信すると（ステップＳ２１）、検出信号を情報端末１に送信するとともに、起動信号不検知期間のタイマをセットする（ステップＳ２２）。
起動信号不検知期間においては、ユーザが報知エリア１１に移動し、起動信号８を受信できる場所にいたとしても、起動信号８を受信しない（ステップＳ２３，ステップＳ２４）。
このため、この起動信号不検知期間の間は、検出信号を情報端末１へ送信せず、情報端末は起動することがない。
そして、起動信号不検知期間が経過した後は、起動信号を受信する状態に戻り、起動信号を受信したときには検出信号を情報端末１へ送信する（ステップＳ２５，ステップＳ２６）。
起動信号不検知期間において、ここでは起動信号を受信しない手順を述べたが、起動信号の受信はするが、検出信号を情報端末１へ送信することを停止する手順としても、同様の効果が得られる。
このようにして、起動信号８を受信後、起動信号不検知期間の間は起動信号８を受信しないことで、不必要な検出信号を情報端末１へ送信することを抑え、情報端末１および無線端末２の電力消費を抑えることができる。
【００１４】
［実施例２］
本発明の実施例２の情報配信システムは、図１と同じであるので再度の説明は省略する。
本発明の実施例２では、起動信号検出器３内の起動信号識別子受信リストヘ過去に受信した起動信号８の起動信号識別子を登録し、起動信号８受信時にそのリストと照合することで、過去に受信した起動信号識別子と同じ起動信号８を受信した場合は、検出信号を情報端末１へ送信しないものである。
起動信号８には起動信号識別子が含まれており、起動信号報知器５ごとに異なる起動信号識別子を設定する。
複数の起動信号報知器５を一つのグループとして、そのグループ内の起動信号報知器５には同じ起動信号識別子を設定することもできる。
また、起動信号検出器３内には過去に受信した起動信号識別子を登録した起動信号識別子受信リストがある。
図４は、本実施例の情報配信システムの動作を説明するためのシーケンス図であり、図５は、図４に示す起動信号検出器３内の起動信号識別子受信リストの構成を説明する図である。
図５（ａ）では、識別子Ｅと識別子Ｆを過去に受信し、それらが登録されている状態を示している。
【００１５】
以下、図４を用いて、本実施例において、起動信号検出器３が起動信号受信時に起動信号識別子受信リストを照合する動作手順を説明する。
起動信号報知器５から起動信号識別子Ａを含んだ起動信号Ａが報知され（ステップＳ３１）、起動信号検出器３は、それを受信し、起動信号識別子受信リストと照合する（ステップＳ３２）。
照合の結果、リスト内に該当する識別子がない場合は、検出信号を情報端末１へ送信し（ステップＳ３３）、受信した識別子を起動信号識別子受信リストヘ追加する（ステップＳ３４）。起動信号識別子Ａを追加後の起動信号識別子受信リストを図５（ｂ）に示す。
次に、再度起動信号Ａを受信する（ステップＳ３５）。受信後、起動信号識別子受信リストと照合し（ステップＳ３６）、照合の結果、リスト内に該当する識別子がある場合は、検出信号を送信しない（ステップＳ３７）。
ユーザが移動し、起動信号識別子Ｂを含んだ起動信号Ｂを受信すると（ステップＳ３８）、起動信号識別子受信リストと照合する。リスト内に該当する識別子がないので、検出信号を送信し（ステップＳ４０）、受信した識別子を起動信号識別子受信リストヘ追加する（ステップＳ４１）。
起動信号識別子受信リストは異なる識別子を受信する毎に追加されるが、リストで保存できる識別子の数を決めておかないとリストの容量が大きくなってしまうので、通常は２個とか５個とかといったように、保存数を決めておく。
そして、新たに識別子を追加する時に保存数を超えるような場合には、一番古いものを削除して、新たな識別子を追加する。
このように、起動信号検出器３内の起動信号識別子受信リストヘ過去に受信した起動信号８の起動信号識別子を登録することで、不要な検出信号の送信を抑え、情報端末１および無線端末２の電力消費を抑えることが可能となる。
【００１６】
［実施例３］
本発明の実施例３の情報配信システムは、図１と同じであるので再度の説明は省略する。
本実施例では、起動信号検出器３内の起動信号識別子受信リストに、識別子とともに登録時刻も登録し、有効期間内に再度同じ識別子の起動信号８を受信した場合は検出信号を出力しないものである。
図６は、本実施例３の情報配信システムを説明するためのシーケンス図であり、図７は、図６に示す起動信号検出器３内の起動信号識別子受信リストの構成を説明する図である。
図７では、識別子Ａと識別子Ｃの識別子と登録時刻がリストに登録されている状態を示している。
以下、図６を用いて、本実施例において、起動信号検出器３での識別子の登録および照合処理についての動作手順を説明する。
起動信号報知器５から起動信号識別子Ａを含んだ起動信号Ａが報知され（ステップＳ５１）、起動信号検出器３では、それを受信し、起動信号識別子受信リストと照合する（ステップＳ５２）。
照合の結果、リスト内に該当する識別子がない場合は、検出信号を情報端末１へ送信し（ステップＳ５３）、受信した識別子および登録時刻を起動信号識別子受信リストヘ追加する（ステップＳ５４）。
起動信号識別子受信リストでは、起動信号識別子有効時間を経過した識別子はリストから削除し、有効時間内の識別子はそのまま残す。
【００１７】
起動信号検出器３が、再度起動信号Ａを受信したとき（ステップＳ５５）、起動信号識別子受信リストと照合する（ステップＳ５６）。
照合の結果、リスト内に該当する識別子がある場合は、検出信号を送信しない（ステップＳ５７）。
その後、時間が経過し、ステップＳ５４で追加した識別子の有効時間に達すると、起動信号識別子受信リストから該当する識別子が削除される（ステップＳ５８）。例えば、図７において、有効時間を２時間とすると、２００４／７／１０の１７：２５になると、識別子Ａがリストから削除される。
削除された後、再度起動信号Ａを受信したとき（ステップＳ５９）、起動信号識別子受信リストと照合する（ステップＳ６０）。
識別子Ａは先程リストから削除されており、照合の結果、該当する識別子はないので（ステップＳ６０）、検出信号を出力し（ステップＳ６１）、リストヘ追加する（ステップＳ６２）。
このように、起動信号検出器内の起動信号識別子受信リストから有効時間が経過した識別子を削除することで、不要な検出信号の送信を抑え、情報端末１および無線端末２の電力消費を抑えることが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１８】
【図１】本発明の各実施例の情報配信システムの全体概略構成を示すブロック図である。
【図２】本発明の実施例１の情報配信システムの動作を説明するためのシーケンス図である。
【図３】図２に示す起動信号検出器の動作を説明するためのシーケンス図である。
【図４】本発明の実施例２の情報配信システムを説明するためのシーケンス図である。
【図５】図４に示す起動信号検出器内の起動信号識別子受信リストの構成を説明する図である。
【図６】本発明の実施例３の情報配信システムを説明するためのシーケンス図である。
【図７】図６に示す起動信号検出器内の起動信号識別子受信リストの構成を説明する図である。
【符号の説明】
【００１９】
１  情報端末
２  無線端末
３  起動信号検出器
４  無線基地局
５  起動信号報知器
６  情報配信サーバ
７  ネットワーク
８  起動信号
９  情報配信リスト
１０  情報群
１１  報知エリア
１２  通信可能エリア
【図１】
2006086556.tif 000003
【図２】
2006086556.tif 000004
【図３】
2006086556.tif 000005
【図４】
2006086556.tif 000006
【図５】
2006086556.tif 000007
【図６】
2006086556.tif 000008
【図７】
2006086556.tif 000009